(57)【要約】      （修正有）【課題】表裏いずれの面を表側としても嵌合連結して競技用連結床マットを形成できる競技用マット及び競技の表示位置を表示することができる競技用連結床マットを提供する。【解決手段】競技用連結床マット１２の競技用マット１０は、正方形マット部の４側部に凹凸嵌合部が形成され、かつ一方の対角線Ａ方向にある２つの角部はマット側部に対し４５°の傾斜角部１４とされ、他方の対角線方向にある２つの角部は９０°の直角角部１５とされ、対角線に対して対称形に形成されている。【選択図】図２
0003229987.tif 000002
【実用新案登録請求の範囲】
【請求項１】
正方形マット部の４側部に凹凸嵌合部が形成され、かつ一方の対角線方向にある２つの角部はマット側部に対し４５°の傾斜角部とされてなり、他方の対角線方向にある２つの角部は９０°の直角角部とされてなり、対角線に対して対称形に形成されていることを特徴とする競技用マット。
【請求項２】
前記正方形マット部の表面と裏面に互いに異なる色彩が施されていることを特徴とする請求項１に記載の競技用マット。
【請求項３】
ポリエチレン発泡体で形成された中板の上下面に、該中板と硬度の異なるポリエチレン発泡体の外板が貼着されてなり、前記外板の表面にランダムな間隔で滑り止め凹凸部が形成されていることを特徴とする請求項１または２に記載の競技用マット。
【請求項４】
前記外板は前記中板よりも硬度が低いポリエチレン発泡体で形成され、かつ前記外板の厚みを略４ｍｍ〜１５ｍｍ、前記中板の厚みを略４〜１５ｍｍの間で選択してなることを特徴とする請求項３に記載の競技用マット。
【請求項５】
正方形マット部の４側部に凹凸嵌合部が形成され、一方の対角線方向にある２つの角部はマット側部に対し４５°の傾斜角部とされ、他方の対角線方向にある２つの角部は９０°の直角角部とされ、かつ対角線に対して対称形に形成され、前記正方形マット部の表面と裏面に互いに異なる色彩が施されてなる競技用マットを有し、
複数枚の前記競技用マットからなる競技用マットユニットの前記凹凸嵌合部同士が嵌合連結された状態で配置されてなり、表示位置に篏合される前記競技用マットは、前記表示位置以外の位置に篏合される前記競技用マットとは異なる色彩が施されている面を上面にして篏合されてなることを特徴とする競技用連結床マット。
【請求項６】
前記表示位置は、競技者の競技開始位置、競技終了時の立ち位置、競技区画の外縁位置であることを特徴とする請求項５所載の競技用連結床マット。
【考案の詳細な説明】
【技術分野】
【０００１】
本考案は競技用マットおよび該競技用マットを用いた競技用連結床マットに関し、特に、空手道、柔道、合気道、少林寺拳法、レスリング等の競技場における連結床マットを構成するマットおよびこのマットを連結した競技用マットユニットからなる競技用連結床マットに関する。
【背景技術】
【０００２】
一般に空手、柔道、合気道、少林寺拳法、レスリング等の室内競技では、競技室内に複数枚の畳やマットを敷き詰めて畳床やマット床を構成し、このような床面上で競技を行うこととしている。マット床の場合、通常は所定の大きさの矩形状のマットを連結して対象の競技に応じて必要な面積のマット床を構成している。マットの連結形態としては、マットの外側部に複数の凹凸嵌合部が形成され、これらの凹凸嵌合部によって複数枚のマットを前後左右に連結している。
【０００３】
矩形状のマットあるいはマット小片の外側部に凹凸嵌合部を形成して所望の広さのマットを得るように複数枚前後左右に連結したジョイントマットとしては、特許文献１、２に示すものが知られている。文献１のジョイントマットは矩形状のマットの４側部に凹凸嵌合部を形成したものと、３側部に凹凸嵌合部を形成し、残り１側部に嵌合部を形成しないもの、さらに隣接した２側部にのみ凹凸嵌合部を形成し、残りの２辺部には嵌合部を形成せずに直線状の側部とし、これらを組み合せて広面積のマットとしたとき、全体の外縁が直線状の広面積マットとなるようにしたものである。
【０００４】
また特許文献２のジョイントマットは、室内で人が座ったり横になったりする床面に緩衝材あるいは防寒用として設置される敷物であるが、マット小片の４側部に形成された凹凸嵌合部によって所望の広さの敷物となるように連結し、さらに連結した敷物の外縁の凹凸嵌合部に、片側部にのみ凹凸部がある縁部用マット小片を連結した構成としたマットである。
【先行技術文献】
【特許文献】
【０００５】
【特許文献１】実用新案登録第３２０８１７５号公報
【特許文献２】実用新案登録第３２１６３６９号公報
【考案の概要】
【考案が解決しようとする課題】
【０００６】
従来のマットを凹凸嵌合部で複数枚連結して広面積の床マットを構成したものにおいては、連結するマットあるいはマット小片の配置向きが決まってしまい、マット表面の一部の箇所が毀損や汚染したとき、簡単にその部分のマットを裏返しにして連結するということができない。特許文献１、２のジョイントマットにおいても、必要に応じてマットを裏返しにして連結するということはできない。矩形状のマットにおいて４角部の凹凸嵌合部をすべて対称形の同形状にすると、４枚のマットを矩形状に連結したとき、連結角部で空間部ができてしまうという問題があった。
【０００７】
本考案は、表裏いずれの面を表側として嵌合連結して競技用連結床マットを形成できる競技用マットを提供することを目的とする。
【０００８】
本考案は、表裏いずれの面を自由に選定して連結することができ、かつ表面と裏面に異なる色彩を施した競技用マットを提供することを目的とする。
【０００９】
本考案はまた、マットの表面と裏面とで異なる色彩を施すことにより、例えば空手競技用の連結床マットで対戦する競技者の競技開始時の立ち位置や競技区画の外縁位置等の表示位置を色表示で規定することができる競技用マットを提供することを目的とする。
【００１０】
本考案はさらに、空手、柔道、合気道、少林寺拳法、レスリング等の室内競技で要求される適切なマット硬度およびマット表面の摩擦性を確保し、また、衝撃吸収性にも優れた競技用マットを提供することを目的とする。
【００１１】
本考案はさらに、マット表面の任意の方向に対して良好な運足性の確保および過大なすべり防止ができ、競技中の転倒による強打事故や爪剥離などが防止できる競技用マットを提供することを目的とする。
【００１２】
本考案はさらに、経年使用によるマットの伸び（クリープ）が生じない競技用マットを提供することを目的とする。
【課題を解決するための手段】
【００１３】
本考案によれば、正方形マット部の４側部に凹凸嵌合部が形成され、かつ一方の対角線方向にある２つの角部はマット側部に対し４５°の傾斜角部とされてなり、他方の対角線方向にある２つの角部は９０°の直角角部とされてなり、対角線に対して対称形に形成されていることを特徴とする競技用マットが提供される。
【００１４】
また、本考案の他の形態によれば、前記正方形マット部の表面と裏面に互いに異なる色彩が施されていることを特徴とする。
【００１５】
本考案の他の形態によれば、ポリエチレン発泡体で形成された中板の上下面に、該中板と硬度の異なるポリエチレン発泡体の外板が貼着されてなり、前記外板の表面にランダムな間隔で滑り止め凹凸部が形成されていることを特徴とする。
【００１６】
本考案の他の形態によれば、前記外板は前記中板よりも硬度が低いポリエチレン発泡体で形成され、かつ前記外板の厚みを略４ｍｍ〜１５ｍｍ、前記中板の厚みを略４〜１５ｍｍの間で選択してなることを特徴とする。
【００１７】
本考案によれば、正方形マット部の４側部に凹凸嵌合部が形成され、一方の対角線方向にある２つの角部はマット側部に対し４５°の傾斜角部とされ、他方の対角線方向にある２つの角部は９０°の直角角部とされ、かつ対角線に対して対称形に形成され、前記正方形マット部の表面と裏面に互いに異なる色彩が施されてなる競技用マットを有し、
複数枚の前記競技用マットからなる競技用マットユニットの前記凹凸嵌合部同士が嵌合連結された状態で配置されてなり、表示位置に篏合される前記競技用マットは、前記表示位置以外の位置に篏合される前記競技用マットとは異なる色彩が施されている面を上面にして篏合されてなることを特徴とする競技用連結床マットが提供される。
【００１８】
本考案の他の形態によれば、前記表示位置は、競技者の競技開始位置、競技終了時の立ち位置、競技区画の外縁位置であることを特徴とする。
【考案の効果】
【００１９】
また、本考案に係るマットの頂部の構造によれば、競技用連結床マットの一部が毀損・汚損した際や、空手、柔道等の競技の変更や、同競技種目における対戦競技から個人競技等の種目変更による表示位置の変更の際にも、該当箇所に位置する競技用マットのみをそのまま裏返して篏合連結して使用することが可能となる。
【図面の簡単な説明】
【００２０】
【図１】本考案の実施例に係る競技用マットの平面図である。
【図２】本考案の実施例に係るマットを連結したマットユニットからなる競技用連結床マットの部分的な平面図である。
【図３】図２に示す競技用連結床マットを空手道競技用として構成した実施例の平面図である。
【図４】本考案の実施例に係る競技用マットの部分的な拡大断面図である。
【図５】本考案の他の実施例に係る競技用マットの部分的な拡大断面図である。
【考案を実施するための形態】
【００２１】
次に、本考案に係る競技用マットおよび該競技用マットを連結して構成する競技用連結床マットを、図面を参照しつつ、実施例について説明する。
【００２２】
以下の実施例は空手道、柔道、レスリング等の武道競技を行う競技室の床面に敷設される競技用連結床マットの例であり。本実施例では、空手に使用する場合を例に説明する。
【００２３】
図１に示す競技用マット１０は全体として正方形の、実施例では略１ｍ四方の平面形状を成し、このマット１０が図２に示すように競技室床面のＸ、Ｙ方向（左右、上下方向）に複数枚側部同士連結されてマットユニットを成しこれが床面に敷き詰められて所望の競技用連結床マット１２が構成される。
【００２４】
競技用マット１０の４辺の外側部には凹凸形状の複数の嵌合部１３が形成されている。後述するように、側部同士隣接した一方のマット１０の凹状（凸状）の嵌合部１と、これに対応した同じ形状の他方のマット１０の凸状（凹状）の嵌合部２が緊密に嵌合することでマット１０同士が連結され、このようにして所定の広さの競技区画が形成される。側部に形成される凹凸形状の嵌合部１、２は図示の形態に限定されないことは勿論である。
【００２５】
四角形状のマット１０の一方の対角線Ａ方向にある２つの角部は、この対角線Ａに対して直角に切除された形態、つまりマット１０の外側部に対して４５°に傾斜した傾斜角部１４となっている。また、マット１０の他方の対角線方向にある２つの角部は直角の角部となっている。前記一方の対角線Ａ方向にある２つの傾斜角部１４は同一の形状であり、他方の２つの直角角部１５も互いに同一の形状である。したがって、このマット１０は各対角線に対してそれぞれ対称に形成されている。
【００２６】
図２に示す競技用連結床マット１２は図１で説明したマット１０の側部同士を凹凸嵌合連結させたものである。図示の状態は中央のマット１０以外は一部波線で省略しているが９枚のマットが示されている。図２において、中央のマット１０に対しその左側にあるマット１６はそのままの姿勢で右側へ移動（Ｘ方向）させて中央のマット１０の右側部に配置した形態（右側マット１７）となっている。上下方向、つまりＹ方向のマット１８、１９についても同様である。
【００２７】
このように連結された競技用連結床マット１２は、競技用マット１０等の角部の形状が対角線方向に同一のため、それぞれのマット１０一枚のみを裏返しにしてそのまま篏合させ設置することができる。裏返しにする場合、例えば図２において１つの対角線Ａを仮想軸のようにしてその対角線Ａを中心に中央のマット１０を１８０°回転させると、マット裏面が表側に現われることとなる。このように本考案によるマット１０は表面、裏面を自由に選定して床面上に設置することができる。そして、マットの表面と裏面の面性状（材質、微細凹凸の形状）を同じにし、異なる色彩を表面と裏面に施すことができる。
【００２８】
図３は表面と裏面で異なる色彩を施した競技用マット１０を連結して空手用の競技用連結床マット１２を構成した例を示したものである。図３（ａ）は２人の選手が対戦する組手競技(立ち位置表示有り)のマット構成、図３（ｂ）は１人の選手が形を披露する形競技のマット構成である。例えば、マットの表面を青色、裏面を赤色で着色したマット１０において、競技開始時あるいは競技終了時の対戦競技者の立ち位置としての表示位置２３、２４が、裏面(赤色)を上面にして配置され、他の位置は表面(青色)を上面にして設置されている。また、床面の競技区画の外縁を示す表示位置２５,２６に設置されるマット１０は裏面（赤色）を上面として設置されている。このようにして本考案においては、表裏面で互いに異なる色が施されたマット１０の所望の面を上面にして設置することで容易に選手の立ち位置、競技区画等の表示位置を示すことができる。そのほか、本考案ではマット１０の表裏いずれの側も表側にして設置することができるので、マット１０の表面が毀損したとき、裏面を表側にしてそのまま使用することができる。また、空手、柔道等の競技の変更や、同競技種目における対戦競技(立ち位置表示有り)から型競技等の個人競技（立ち位置表示無し）等の種目変更による表示位置の変更の際にも、該当箇所に位置するマットのみをそのまま裏返して篏合連結して使用することが可能となる。マット１０は、ポリエチレン発泡体等の弾性及び衝撃吸収性を有する樹脂材で形成することが望ましく、一枚のマット体で形成してもよいし、次の実施形態で示すように異なる特性のマット体を貼り合わせることで形成してもよい。
【００２９】
図４を参照して本考案の他の実施形態を説明する。図４は競技用マット１０の断面図を示す。マット１０は中板７の上下面を外板８，９で挟着した３層構造のマット本体部を有し、その上下面つまり上の外板８の上面と下の外板９の下面に、ランダムに配置されてなる微小の滑り止め凸部１１a、エンボス加工によりフィルム１１が一体に貼着されている。
【００３０】
中板７および上下の外板８，９はともにポリエチレン発泡体で形成されており、かつ中板７と外板８，９は硬度が異なっており、外板８，９の方が中板７よりもやや硬度が低くなっている。また、中板７は外板８，９よりも厚く、かつ中板７の硬度は、対象とする競技の種類および競技者のレベル（技能や体重などの等級）によって異なる場合もあるが、具体例として、空手道および柔道競技用の場合、一般向け、あるいは標準用のものは、硬度としてＪＩＳ規格Ｋ７３１２のＣタイプ硬度計で測った硬度５０度、軽量級および初心者向けに対しては、これより柔らかい硬度、例えば同規格の前記Ｃタイプ硬度計で４０度とし、重量級および上級者向けのマットとする場合は同規格の前記Ｃタイプ硬度計で例えば６０度の硬度のものが採用される。また、中板７と、外板８，９の硬度は任意に組み合わせることができる。求められる衝撃吸収性やクリープの防止度合いに合わせて中板７と外板８，９は任意の硬度で準備される。例えば、中板を４０度〜６０度の硬度で用意し、外板を４０〜５５度の硬度で用意する。初心者向けには中板の硬度４０度、両外板の硬度４０度とし、衝撃吸収性に優れたマットを提供しても良いし、中級者向けに中板の硬度４０度、外板の硬度５５度として、ある程度の衝撃吸収性を保ちつつ安定性を確保し、クリープ防止機能を高めても良いし、上級者向けに中板の硬度６０度、外板の硬度５５度として、安定性とクリープ防止機能を追求してもよい。
【００３１】
この実施例の競技用マット１０の厚みについて具体例を示せば、中板７の厚みＴは概ね１０ｍｍ程度、上下の外板８，９の厚みｔはそれぞれ４〜５ｍｍ程度の厚みとされている。また、マット１０の厚みも求められるマットの特性に合わせて組み合わせることができ、４〜１５ｍｍの厚みで準備される。なお、板状にしたポリエチレン発泡体の硬度はポリエチレンの粒子密度として同定される。中板７と外板８，９は接着剤によって一体に接着固定されている。例えば、板表面にゴム系接着剤や合成樹脂系接着剤を適量塗布し、これらを圧着乾燥させて一体化することで３層構造のマット本体部が形成される。なお、接着剤としてはこれに限定されず、他の種類の接着剤も採用可能である。
【００３２】
上述したマット本体部の各外板８，９の外表面に貼着されるフィルム１１は、厚み０．０５〜０．１ｍｍ程度のポリエチレンフィルムであり、熱圧着または接着剤による接着により外板８，９と一体化される。前述したように、ポリエチレンフフィルム１１の表面はランダムにかつ密に配置された小粒の滑り止め凸部１１ａが形成されている。凸部の径は概ね０．２〜０．５ｍｍ程度で、その凸部分がフィルム上に０．２〜０．５ｍｍ程度の間隔で形成されており、ランダムな（方向規則性のない）滑り止め凸部が形成される。滑り止め凸部はいわゆるシボ加工、梨地加工とも呼ばれるエンボス加工で微細な滑り止め用の凹凸を成している。このようなポリエチレンフィルム１１をマット本体部の上下面に一体に貼着して被着することにより、経年使用によるマット１０がクリープを生じて伸びるのが防止される。
【００３３】
また、本考案の競技用マット１０は表面のフィルム層も含めて異なる強度を組み合せた複数層のポリエチレン発泡体で構成されているので、衝撃吸収性が良好となり、競技中の組打ち、足払い、あるいは投げ技等の際の転倒による強打事故が防止される。例えば、競技時に従来の畳表模様や格子模様のような縦、横の方向によって競技者の運足性が異なり、或る方向に対して足の爪が引っ掛かり、爪の剥離や毀損が生じるといった事故が防止される。また、マット表面のポリエチレンフィルム１１のランダムな（方向規則性のない）小粒状のエンボス面１１ａにより、適度な摩擦機能が発揮され、すべり過ぎや過度な粘着性がなく、競技に必要な運足性が確保される。
【００３４】
さらに本考案によれば、競技用マット１０の強度を４０度〜６０度の範囲で変えたものを準備しておくことにより、競技者の技能レベルに応じた適正な硬度のものを自由に選択して簡単に取り換えて使用することができ、初心者に対しても転倒による頭部打撲が防止され、重量級の競技者の場合でも過度の沈み込み等の問題を無くすることができる。
【００３５】
上述の実施例では、中板７を一層のポリエチレン発泡体で構成した例を示したが、本考案の他の実施例では中板を複数層の形態に形成することもできる。図５を参照すれば、この実施例の競技用床マット２０はポリエチレン発泡体製の中板２１の中間部に板状の芯材２２が貼着され、これによって中板全体が上層、中間層（芯剤）および下層の３層構造となっている。上層の中板２１の上面および下層の中板２１の下面にそれぞれポリエチレン発泡体の外板８，９が貼着され、さらに上下外板８，９の表面にそれぞれ滑り止め凸部１１ａを有するポリエチレンフィルム１１が貼着されていることは先の実施例と同様である。
【００３６】
この３層構造の中板２１とした実施例では、外板８，９は中板２１よりも硬度がより低くなっており、全体として衝撃吸収性の向上が図られるとともに、中心の芯材層によって長期使用によるマット全体のクリープ（伸び）がより一層防止される。
【００３７】
さらに、上述の実施例では、外板表面に滑り止め凸部を施したポリエチレンフィルム１１を貼着した競技用マット１０を示したが、本考案の他の実施例（不図示）では、ポリエチレン発泡体で形成された中板の上下面に、該中板と硬度の異なるポリエチレン発泡体の外板が貼着され、さらに前記外板の表面に直接ランダムな間隔で滑り止め凸部が形成されている。外板表面の滑り止め凸部は、外板の表面に熱した凹凸判を圧接したり、外板の表面に加熱式エンボスロールにより凹凸エンボス加工を施して形成する。
【符号の説明】
【００３８】
１，３，５  凹状の嵌合部
２，４，６  凸状の嵌合部
７，２１  中板
８，９  外板
１０，１６，１７,１８、１９  競技用マット
１１  ポリエチレンフィルム
１１ａ  滑り止め凸部
１２  競技用連結床マット
１４  傾斜角部
１５  直角角部
２２  芯材
２３，２４，２５表示位置
【図１】
0003229987.tif 000003
【図２】
0003229987.tif 000004
【図３】
0003229987.tif 000005
【図４】
0003229987.tif 000006
【図５】
0003229987.tif 000007
【手続補正書】
【提出日】令和2年10月14日(2020.10.14)
【手続補正１】
【補正対象書類名】実用新案登録請求の範囲
【補正対象項目名】請求項６
【補正方法】変更
【補正の内容】
【請求項６】
前記表示位置は、競技者の競技開始位置、競技終了時の立ち位置、競技区画の外縁位置であることを特徴とする請求項５に記載の競技用連結床マット。